(57)【要約】【課題】連続的に換気を行う換気装置と、運転指示を受け付けたときのみ運転される換気装置とを、住宅内部の空気圧が住宅外部の空気圧よりも低くなりにくいように、且つ、エネルギーが無駄にならないように制御することができる換気システムを提供することを目的とする。【解決手段】居住空間Ｒ内の空気を連続的に換気する連続運転を行う第１の換気装置３と、運転指示を受け付けたときのみ居住空間Ｒ内の空気を換気する第２の換気装置２と、第１及び第２の換気装置２，３の制御を行う制御装置１と、を備えており、制御装置１は、第２の換気装置２が運転指示を受け付けたことを検出したときに、第１の換気装置３による換気を中止させて、第２の換気装置２による換気を開始させる。【選択図】図１
2011038719.tif 000002
【特許請求の範囲】
【請求項１】
居住空間内の空気を連続的に換気する連続運転を行う第１の換気装置と、
運転指示を受け付けたときのみ前記居住空間内の空気を換気する第２の換気装置と、
前記第１及び第２の換気装置の制御を行う制御装置と、
を備えており、
前記制御装置は、
前記第２の換気装置が前記運転指示を受け付けたことを検出したときに、前記第１の換気装置による換気を中止させて、前記第２の換気装置による換気を開始させることを特徴とする換気システム。
【請求項２】
前記居住空間の外部の空気を前記居住空間に取り入れるために設けられ、開状態及び閉状態のいずれかに制御される給気レジスタをさらに備えており、
前記制御装置は、
前記第１の換気装置による換気を中止させて前記第２の換気装置による換気を開始させたときには、前記給気レジスタを前記開状態として、前記外部の空気を前記居住空間に取り入れさせることを特徴とする請求項１に記載の換気システム。
【請求項３】
前記給気レジスタは、少なくとも、前記居住空間の外部と前記居住空間との間を連通させた連通孔を塞ぐための蓋を備えており、
前記制御装置による制御によって、前記蓋が前記連通孔を塞いだ前記閉状態と、前記蓋が前記連通孔を塞いでいない前記開状態との間で動かされるように構成されていることを特徴とする請求項２に記載の換気システム。
【請求項４】
前記給気レジスタが複数設けられており、
前記制御装置は、
前記第１の換気装置による換気を中止させて前記第２の換気装置による換気を開始させたときには、全ての前記給気レジスタを前記開状態として、前記外部の空気を前記居住空間に取り入れさせることを特徴とする請求項２又は請求項３に記載の換気システム。
【請求項５】
前記給気レジスタが複数設けられており、
前記制御装置は、
前記第２の換気装置が前記運転指示を受け付けたことを検出していないときに、前記第１の換気装置による換気を継続させる構成とされており、
前記第１の換気装置による換気を継続させているときには、いずれかの給気レジスタを前記閉状態として、前記外部の空気を前記居住空間に取り入れさせず、前記いずれかの給気レジスタの他の給気レジスタを前記開状態として、前記外部の空気を前記居住空間に取り入れさせることを特徴とする請求項２又は請求項３に記載の換気システム。
【請求項６】
前記給気レジスタの各々は、前記給気レジスタの各々を前記開状態及び前記閉状態のいずれかの状態でロックするためのロック機構をさらに備えており、
前記制御装置は、
前記全ての前記給気レジスタの前記ロック機構を制御して、当該全ての前記給気レジスタを前記開状態でロックさせることを特徴とする請求項４に記載の換気システム。
【請求項７】
前記制御装置は、前記第１の換気装置の内部に組み込まれていることを特徴とする請求項１乃至請求項６のいずれか一項に記載の換気システム。
【請求項８】
前記第１の換気装置は、浴室の空気を２４時間の間換気する連続運転を行う換気扇付き浴室暖房乾燥機で構成されており、
前記第２の換気装置は、運転指示を受け付けたときのみ台所の空気を換気するレンジフードで構成されていることを特徴とする請求項１乃至請求項７のいずれか一項に記載の換気システム。
【請求項９】
集合住宅の各住戸に設けられた集合住宅用換気システムであることを特徴とする請求項１乃至請求項８のいずれか一項に記載の換気システム。
【発明の詳細な説明】
【技術分野】
【０００１】
本発明は、換気システムに関するものである。
【背景技術】
【０００２】
従来から、マンション等の高気密な住宅において、レンジフードのような換気度が大きな換気装置を駆動させたとき、住宅内部の空気圧が、住宅外部の空気圧よりも低くなりやすい。このように、住宅内部の空気圧が住宅外部の空気圧よりも低くなると、住宅外部の空気が住宅内部に侵入しようとする力が大きくなる。このような状態では、住宅外部と接する扉やサッシが空気に押されることで、扉やサッシを開閉しにくくなりやすい。
【０００３】
このように、住宅内部の空気圧が住宅外部の空気圧よりも低くなることを避けるため、特許文献１に示される給気レジスタが提案されている。かかる給気レジスタは、住宅内部の空気圧が予め設定された空気圧となったとき、住宅外部の空気を強制的に住宅内部へ取り入れている。
【先行技術文献】
【特許文献】
【０００４】
【特許文献１】特開２００１−２７２０６３号公報
【発明の概要】
【発明が解決しようとする課題】
【０００５】
ところで、最近では、住宅内部の空気が澱むことを避けるために、２４時間換気システムが採用されてきている。建築基準法では、このような２４時間換気システムを新築家屋に設けることが義務付けられている。このような２４時間換気システムは、２４時間の間、連続して住宅内部の空気を換気することで、化学物質や、カビ、ダニなどの生物が原因となるシックハウス症候群を予防している。
【０００６】
このような２４時間換気システムは、先述されたように、２４時間の間、連続して換気している。２４時間換気システムにおいて、レンジフードのような換気度が大きな換気装置が使用されたとき、２つの換気装置による換気が同時に行われる状態となるため、１つの換気装置による換気が行われている場合よりも、住宅内部の空気圧が住宅外部の空気圧よりもさらに低くなる。
【０００７】
このように、レンジフードによる換気と２４時間換気システムによる換気とが同時に行われたとき、換気度の具体的な数値として、例えば、４００m３/h〜６００m３/hが計測される。
【０００８】
かかる２４時間換気システムが採用された住宅において、換気度が大きな換気装置が運転される場合、当該住宅に特許文献１で提案される給気レジスタが取り付けられていても、住宅外部の空気を十分に住宅内部へ取り入れることができない。
【０００９】
そのため、２４時間換気システムが採用された住宅において、特許文献１で提案される給気レジスタが取り付けられていても、換気度が大きな換気装置が運転されたときに住宅内部の空気圧を住宅外部の空気圧に近づけることが不十分となる。そのため、住人は扉やサッシを開閉しにくく、特に、力のない子供や老人が扉やサッシを開閉することは困難となる。また、近時のエコロジー指向により、換気に要するエネルギーを抑制することが望まれている。
【００１０】
本発明は、上記の問題を解決するためになされたもので、連続的に換気を行う換気装置と、運転指示を受け付けたときのみ運転される換気装置とを、住宅内部の空気圧が住宅外部の空気圧よりも低くなりにくいように、且つ、エネルギーが無駄にならないように制御することができる換気システムを提供することを目的とするものである。
【課題を解決するための手段】
【００１１】
本発明の一局面に係る換気システムは、居住空間内の空気を連続的に換気する連続運転を行う第１の換気装置と、運転指示を受け付けたときのみ前記居住空間内の空気を換気する第２の換気装置と、前記第１及び第２の換気装置の制御を行う制御装置と、を備えており、前記制御装置は、前記第２の換気装置が前記運転指示を受け付けたことを検出したときに、前記第１の換気装置による換気を中止させて、前記第２の換気装置による換気を開始させることを特徴とする（請求項１）。
【００１２】
この構成によれば、第２の換気装置が運転指示を受け付けたときに、連続的に運転される第１の換気装置による換気が中止されて、第２の換気装置による換気が開始されるため、第１の換気装置による換気と、第２の換気装置による換気とが同時に行われない。そのため、第２の換気装置による換気が開始されても、住宅内部の空気圧が住宅外部の空気圧よりも低くなりにくくなる。また、第２の換気装置による換気のみが行われるので、換気に要するエネルギーが抑制される。
【００１３】
上記構成において、前記居住空間の外部の空気を前記居住空間に取り入れるために設けられ、開状態及び閉状態のいずれかに制御される給気レジスタをさらに備えており、前記制御装置は、前記第１の換気装置による換気を中止させて前記第２の換気装置による換気を開始させたときには、前記給気レジスタを前記開状態として、前記外部の空気を前記居住空間に取り入れさせる構成とすることができる（請求項２）。
【００１４】
この構成によれば、第２の換気装置による換気が開始されたときには、給気レジスタによって外部の空気が居住空間内に取り込まれるため、さらに、住宅内部の空気圧が住宅外部の空気圧よりも低くなりにくくなる。
【００１５】
上記構成において、前記給気レジスタは、少なくとも、前記居住空間の外部と前記居住空間との間を連通させた連通孔を塞ぐための蓋を備えており、前記制御装置による制御によって、前記蓋が前記連通孔を塞いだ前記閉状態と、前記蓋が前記連通孔を塞いでいない前記開状態との間で動かされるように構成されている構成とすることができる（請求項３）。
【００１６】
この構成によれば、給気レジスタが、制御装置による制御によって、蓋が連通孔を塞いだ閉状態と、蓋が連通孔を塞いでいない開状態との間で動かされる。そのため、制御装置が、給気レジスタを閉状態と開状態との間で動かして、給気レジスタを通じた外気の流入を開始させたり中止させることができる。従って、第１及び第２の制御装置の制御に付随して、給気レジスタを通じた外気の流入を制御することで、居住空間の空気圧の微調整が可能となる。
【００１７】
上記構成において、前記給気レジスタが複数設けられており、前記制御装置は、前記第１の換気装置による換気を中止させて前記第２の換気装置による換気を開始させたときには、全ての前記給気レジスタを前記開状態として、前記外部の空気を前記居住空間に取り入れさせる構成とすることができる（請求項４）。
【００１８】
この構成によれば、第２の換気装置による換気を開始させたときに、全ての給気レジスタが、外部の空気を居住空間に取り入れるため、さらに、住宅内部の空気圧が住宅外部の空気圧よりも低くなりにくくなる。
【００１９】
上記構成において、前記給気レジスタが複数設けられており、前記制御装置は、前記第２の換気装置が前記運転指示を受け付けたことを検出していないときに、前記第１の換気装置による換気を継続させる構成とされており、前記第１の換気装置による換気を継続させているときには、いずれかの給気レジスタを前記閉状態として、前記外部の空気を前記居住空間に取り入れさせず、前記いずれかの給気レジスタの他の給気レジスタを前記開状態として、前記外部の空気を前記居住空間に取り入れさせる構成とすることができる（請求項５）。
【００２０】
この構成によれば、第１の換気装置による換気を継続させているときには、いずれかの給気レジスタ以外の全ての給気レジスタを開状態として、外部の空気を居住空間に取り入れさせるので、第１の換気装置のみによる換気が行われているときでも、居住空間の空気圧が外部の空気圧よりも低くなりにくくなる。
【００２１】
上記構成において、前記給気レジスタの各々は、前記給気レジスタの各々を前記開状態及び前記閉状態のいずれかの状態でロックするためのロック機構をさらに備えており、前記制御装置は、前記全ての前記給気レジスタの前記ロック機構を制御して、当該全ての前記給気レジスタを前記開状態でロックさせる構成とすることができる（請求項６）。
【００２２】
この構成によれば、第２の換気装置による換気のみが行われているときには、全ての給気レジスタを開状態でロックさせるので、住人が意図的に給気レジスタを閉状態とすることができない。そのため、居住空間の空気圧を居住空間の外部の空気圧よりも低くなることを抑制することが、住人の意図的な給気レジスタの操作によって阻害されにくくなる。
【００２３】
上記構成において、前記制御装置は、前記第１の換気装置の内部に組み込まれている構成とすることができる（請求項７）。
【００２４】
この構成によれば、制御装置は、第１の換気装置の内部に組み込まれているので、制御装置を設けるための新たなスペースが居住空間において確保されることが要されない。そのため、居住空間が制御装置によって狭くならない。
【００２５】
上記構成において、前記第１の換気装置は、浴室の空気を２４時間の間換気する連続運転を行う換気扇付き浴室暖房乾燥機で構成されており、前記第２の換気装置は、運転指示を受け付けたときのみ台所の空気を換気するレンジフードで構成されている構成とすることができる（請求項８）。
【００２６】
この構成によれば、換気度が大きなレンジフードが運転指示を受け付けたときに、連続運転を行う換気扇付き浴室暖房乾燥機による換気が中止されて、レンジフードによる換気が開始されるため、換気扇付き浴室暖房乾燥機による換気中にレンジフードによる換気が開始されても、住宅内部の空気圧が住宅外部の空気圧よりも低くなりにくくなる。また、レンジフードによる換気のみが行われるので、換気に要するエネルギーが抑制される。
【００２７】
上記構成において、集合住宅の各住戸に設けられた集合住宅用換気システムである構成とすることができる（請求項９）。この構成によれば、請求項１乃至８のいずれか一項の効果を奏する集合住宅を提供することができる。
【発明の効果】
【００２８】
本発明によれば、第１の換気装置が運転中に第２の換気装置が運転を開始したときには、第１の換気装置の運転が中止される。このように、本発明によれば、第１及び第２の換気装置を、住宅内部の空気圧が住宅外部の空気圧よりも低くなりにくいように、且つ、エネルギーが無駄にならないように制御することができる。
【図面の簡単な説明】
【００２９】
【図１】本発明の一実施形態に係る換気システムの一例を模式的に示した平面図である。
【図２】本発明の一実施形態に係る換気システムの機能モジュールの一例を示したブロック図である。
【図３】制御装置の動作の一例を示したフローチャートである。
【図４】レンジフードのみが駆動され、且つ、給気レジスタの全てが開状態とされた際の居住空間における空気の流れを示した図である。
【図５】換気扇のみが駆動され、且つ、給気レジスタ（レジスタ２）のみが閉状態とされた際の居住空間における空気の流れを示した図である。
【図６】換気扇及びレンジフードのいずれも駆動されておらず、且つ、給気レジスタの全てが閉状態とされた際の居住空間における空気の流れを示した図である。
【発明を実施するための形態】
【００３０】
以下、本発明の一実施形態に係る換気システムについて説明する。図１は、本発明の一実施形態に係る換気システムの一例を模式的に示した平面図である。
【００３１】
図１において、集合住宅の一室を構成する居住空間Ｒは、リビングルーム、居室１〜３、台所、トイレ、浴室、及び洗面所に区分されている。居住空間Ｒにおいて、居住空間Ｒの外部と接する壁面Ｗには、居住空間Ｒの外部と居住空間Ｒとの間を連通させた複数の連通孔７１が設けられている。
【００３２】
そして、複数の連通孔７１の各々に対応して、給気レジスタ（レジスタ１〜レジスタ４）６０〜６３が設けられている。給気レジスタ６０〜６３の各々は、居住空間Ｒの外部の空気を居住空間Ｒの内部に取り入れるためのものである。給気レジスタ６０〜６３の各々は、連通孔７１を塞ぐための蓋６００を備える。
【００３３】
給気レジスタ６０〜６３の各々は、後述される制御装置１による制御によって、蓋６００が連通孔７１を塞いだ状態（以下、「閉状態」という）と、蓋６００が連通孔７１を塞いでいない状態（以下、「開状態」という）との間で動かされる（図１における矢印参照）。また、給気レジスタ６０〜６３の各々は、制御装置１による制御によって、給気レジスタ６０〜６３の各々を開状態及び閉状態のいずれかの状態でロックさせるロック機構８０を備える。
【００３４】
図１は、給気レジスタ６０〜６３の各々の待機状態を示しており、給気レジスタ６０〜６３の各々が開状態であり、給気レジスタ６０〜６３の各々の蓋６００がロックされていない状態である。
【００３５】
また、居住空間Ｒにおいて、台所にはレンジフード（第２の換気装置）２が設けられている。レンジフード２は、台所の空気を換気する。尚、レンジフード２の換気度は、水蒸気、二酸化炭素、窒素酸化物などの汚染物や、料理の臭いを外部に排出するために、例えば、３００m３/h〜５００m３/hの換気度とされている。
【００３６】
一方、居住空間Ｒにおいて、浴室には、換気扇付き浴室暖房乾燥機（第１の換気装置）３が設けられている。換気扇付き浴室暖房乾燥機３は、浴室の空気を居住空間Ｒの外部へ排出する。また、換気扇付き浴室暖房乾燥機３は、ダクト５を通じて、トイレ及び洗面所の排気口４，４が接続されており、浴室及びトイレの内部の空気も居住空間Ｒの外部へ排出する。
【００３７】
このように、換気扇付き浴室暖房乾燥機３は、浴室、トイレ、及び洗面所の空気を居住空間Ｒの外部へ排出する。すると、浴室、トイレ、及び洗面所には、居住空間Ｒのうち浴室、トイレ、及び洗面所以外の空間の空気が流入するので、換気扇付き浴室暖房乾燥機３は、さらに、当該空間の空気を居住空間Ｒの外部へ排出する。すなわち、換気扇付き浴室暖房乾燥機３は、浴室、トイレ、及び洗面所を通じて、居住空間Ｒ内の空気を居住空間Ｒの外部へ排出する。
【００３８】
このように、換気扇付き浴室暖房乾燥機３は、毎日、２４時間の間連続的に運転を行って、浴室、トイレ、及び洗面所を通じて、居住空間Ｒ内の空気を居住空間Ｒの外部に排出する。これにより、居住空間Ｒの空気圧が負圧となるため、居住空間Ｒの外部に存在する空気が、居住空間Ｒと居住空間Ｒの外部との境に存在する連通孔７０を通じて居住空間Ｒ内に流入して、居住空間Ｒに存在した空気と入れ替わる。従って、２４時間の間、連続した換気がなされる。
【００３９】
また、居住空間Ｒにおいて、制御装置１が設けられている。制御装置１は、レンジフード２及び換気扇付き浴室暖房乾燥機３を、後述されるように制御する。また、制御装置１は、給気レジスタ６０〜６３の各々、ロック機構６２を、後述されるように制御する。
【００４０】
ここに、制御装置１は、レンジフード２及び換気扇付き浴室暖房乾燥機３の各々とは別途に設置されている。しかしながら、制御装置１は、レンジフード２及び換気扇付き浴室暖房乾燥機３の各々に組み込まれていてもよい。
【００４１】
図２は、本発明の一実施形態に係る換気システムの機能モジュールの一例を示したブロック図である。以下、換気扇付き浴室暖房乾燥機３を単に「換気扇３」と呼ぶ。
【００４２】
図２に示されるように、制御装置１は、この制御装置１を統括的に制御する制御部１０、レンジフード２において運転指示操作及び運転停止指示操作のいずれかがあったことを検出する第１の運転指示状態検出部１１、及び、換気扇３において運転指示操作及び運転停止指示操作のいずれかがあったことを検出する第２の運転指示状態検出部１２、を備える。
【００４３】
この制御装置１において、制御部１０は、第１の運転指示状態検出部１１が、レンジフード２において運転指示操作があったことを検出したときには、レンジフード２において運転指示操作があったことを検出したことを表すフラグをセットするとともに、レンジフード２の制御部２０に対して制御信号を送信してレンジフード２の運転を開始させる。
【００４４】
一方、制御部１０は、第１の運転指示状態検出部１１が、レンジフード２において運転停止指示操作があったことを検出したときには、レンジフード２において運転指示操作があったことを表すフラグを解除するとともに、レンジフード２の制御部２０に対して制御信号を送信してレンジフード２の運転を停止させる。
【００４５】
また、制御装置１において、制御部１０は、第２の運転指示状態検出部１２が、換気扇３において運転指示操作があったことを検出したときには、換気扇３において運転指示操作があったことを検出したことを表すフラグをセットするとともに、換気扇３の制御部３０に対して制御信号を送信して換気扇３の運転を開始させる。
【００４６】
一方、制御部１０は、第２の運転指示状態検出部１２が、換気扇３において運転停止指示操作があったことを検出したときには、換気扇３において運転指示操作があったことを表すフラグを解除するとともに、換気扇３の制御部３０に対して制御信号を送信して換気扇３の運転を停止させる。
【００４７】
レンジフード２は、レンジフード２を統括的に制御する制御部２０、運転指示及び運転停止指示のいずれかの操作を受け付ける操作部２１、及び、ファン２２を備える。換気扇３は、この換気扇３を統括的に制御する制御部３０、ファン３１、運転指示及び運転停止指示のいずれかの操作を受け付ける操作部３２を備える。
【００４８】
このレンジフード２において、運転指示操作があったときには、制御部２０は、運転指示操作があったことを示す信号を制御装置１の第１の運転指示状態検出部１１に送信する。一方、運転停止指示操作があったときには、制御部２０は、運転停止指示操作があったことを示す信号を制御装置１の第１の運転指示状態検出部１１に送信する。これにより、制御装置１において、制御部１０は、第１の運転指示状態検出部１１によって、レンジフード２において運転指示操作及び運転停止指示操作のいずれかがあったことを検出して、レンジフード２において運転指示操作を受け付けたことを表すフラグのセット及び解除を行う。
【００４９】
換気扇３は、換気扇３を統括的に制御する制御部３０、運転指示及び運転停止指示のいずれかの操作を受け付ける操作部３２、及び、ファン３１を備える。
【００５０】
この換気扇３において、運転指示操作があったときには、制御部３０は、運転指示操作があったことを示す信号を制御装置１の第２の運転指示状態検出部１２に送信する。一方、運転停止指示操作があったときには、制御部３０は、運転停止指示操作があったことを示す信号を制御装置１の第２の運転指示状態検出部１２に送信する。これにより、制御装置１において、制御部１０は、第２の運転指示状態検出部１２によって、換気扇３において運転指示操作及び運転停止指示操作のいずれかがあったことを検出して、換気扇３において運転指示操作を受け付けたことを表すフラグのセット及び解除を行う。
【００５１】
以下、本実施形態に係る換気システムの動作の概要を、図３〜図６を用いて説明する。
【００５２】
図３は、制御装置１の動作の一例を示したフローチャートである。このフローチャートに示される処理が行われる給気レジスタ６０〜６３の初期状態として、レジスタ２（給気レジスタ６１）が閉状態でロックが解除されており、レジスタ１、３、４（給気レジスタ６０、６２、６３）が開状態でロックが解除されている初期状態が例示されている（図５参照）。
【００５３】
制御部１０は、換気扇３において２４時間換気が行われているか否かを判断する（ステップＳ１）。例えば、制御部１０は、換気扇３において運転指示操作があったことを表すフラグがセットされているか否かを判断する。
【００５４】
２４時間換気が行われているときには（ステップＳ１のＹＥＳ）、制御部１０は、レンジフード２の運転指示があったか否かを判断する（ステップＳ２）。例えば、制御部１０は、第１の運転指示状態検出部１１が、レンジフード２の運転指示操作があったことを検出したか否かを判断する。
【００５５】
レンジフード２の運転指示があった際には（ステップＳ２のＹＥＳ）、制御部１０は、レンジフード２の運転を開始させるとともに、２４時間換気を中止させる（ステップＳ３）。このとき、制御部１０は、換気扇３の運転指示を表すフラグのセット状態をそのまま維持しつつ、レンジフード２の運転指示操作があったことを表すフラグをセットする。
【００５６】
そして、制御部１０は、全ての給気レジスタ６０〜６３を開状態のまま維持させ（ステップＳ４）、全ての給気レジスタ６０〜６３を開状態のままロックさせる（ステップＳ５）。
【００５７】
すると、居住空間Ｒにおける空気の流れ、及び、給気レジスタ６０〜６３の状態は、図４に示されるようになる。図４は、レンジフード２のみが駆動され、且つ、給気レジスタ６０〜６３の全てが開状態とされた際の居住空間Ｒにおける空気の流れを示した図である。
【００５８】
図４に示されるように、居住空間Ｒにおいて、２４時間換気が中止されてレンジフード２のみが駆動されているので、２４時間換気とレンジフード２による換気とが行われている場合と比べて、居住空間Ｒの外部に排出される居住空間Ｒの空気量が減少する。そのため、２４時間換気とレンジフード２による換気とが行われている場合と比べて、居住空間Ｒの空気圧が居住空間Ｒの外部の空気圧に近づく。
【００５９】
そして、居住空間Ｒの空気が、図４における実線矢印で示されるように、レンジフード２によって居住空間Ｒの外部へ排出されるので、居住空間Ｒの空気圧が居住空間Ｒの外部の空気圧よりも低くなろうとする。
【００６０】
しかしながら、居住空間Ｒの空気圧が居住空間Ｒの外部の空気圧よりも低くなったときには、全ての給気レジスタ６０〜６３が開状態とされているので、居住空間Ｒの外部の空気が、図４における２点鎖線矢印で示されるように、全ての給気レジスタ６０〜６３に対応する連通孔７１を通じて居住空間Ｒに進入する。従って、居住空間Ｒの空気圧が居住空間Ｒの外部の空気圧よりも低くなることが抑制される。
【００６１】
その後、制御部１０は、レンジフード２の運転停止指示があったか否かを判断する（ステップＳ６）。すなわち、制御部１０は、第１の運転指示状態検出部１２によって、レンジフード２が運転停止指示を受け付けたことが検出されたか否かを判断する。
【００６２】
制御部１０は、レンジフード２の運転停止指示があったときには（ステップＳ６のＹＥＳ）、レンジフード２の運転を停止させるとともに２４時間換気を再開させる（ステップＳ７）。このとき、制御部１０は、換気扇３の運転指示があったことを表すフラグのセット状態を維持しつつ、レンジフード２の運転指示があったことを表すフラグを解除する。
【００６３】
そして、制御部１０は、全ての給気レジスタ６０〜６３のロックを解除させ（ステップＳ８）、その後、レジスタ２（給気レジスタ６１）のみ閉状態とさせる（ステップＳ９）。これにより、給気レジスタ６０〜６３の状態は、先述された初期状態となる。
【００６４】
すると、居住空間Ｒにおける空気の流れ、及び、給気レジスタ６０〜６３の状態は、図５に示されるようになる。図５は、換気扇３のみが駆動され、且つ、給気レジスタ６１のみが閉状態とされた際の居住空間Ｒにおける空気の流れを示した図である。尚、図５において、給気レジスタ６０〜６３の状態は、先述された初期状態である。
【００６５】
図５に示されるように、居住空間Ｒにおいて、２４時間換気のみがされている。その際、居住空間Ｒの空気が、図５における実線矢印で示されるように、換気扇３によって居住空間Ｒの外部へ排出されるので、居住空間Ｒの空気圧が居住空間Ｒの外部の空気圧よりも低くなろうとする。
【００６６】
しかしながら、給気レジスタ６０、６２、及び６３が開状態とされているので、居住空間Ｒの外部の空気が、図５における２点鎖線矢印で示されるように、給気レジスタ６０、６２、及び６３に対応する連通孔７１を通じて居住空間Ｒに進入する。従って、居住空間Ｒの空気圧が居住空間Ｒの外部の空気圧よりも低くなることが抑制される。
【００６７】
一方、制御部１０は、２４時間換気がされていないときにレンジフード２の運転指示があったときには（ステップＳ１のＮＯ、及び、ステップＳ１０のＹＥＳ）、例えば、換気扇３の運転指示があったことを表すフラグがセットされていない状態で、第１の運転指示状態検出部１１が、レンジフード２の運転指示があったことを検出したときには、制御部１０は、レンジフード２の運転を開始させるとともに、全ての給気レジスタ６０〜６３を開状態とさせる（ステップＳ１４及びＳ１５）。このとき、制御部１０は、レンジフード２の運転指示があったことを表すフラグをセットする。そして、制御部１０は、全ての給気レジスタ６０〜６３を開状態のままロックさせる（ステップＳ１６）。
【００６８】
これにより、レンジフード２が駆動されて居住空間Ｒの空気圧が居住空間Ｒの外部の空気圧よりも低くなろうとしても、給気レジスタ６０〜６３に対応する連通孔７１を通じて、居住空間Ｒの外部の空気が居室空間Ｒに進入するので、居住空間Ｒの空気圧が居住空間Ｒの外部の空気圧よりも低くなることが抑制される（図４参照）。
【００６９】
そして、制御部１０は、レンジフード２の運転停止指示があるまで、レンジフード２の運転を継続させる。レンジフード２の運転停止指示があったときには（ステップＳ１７のＹＥＳ）、制御部１０は、レンジフード２の運転を停止させる（ステップＳ１８）。
【００７０】
その後、制御部１０は、ステップＳ８及び９で示される処理を行って、全ての給気レジスタ６０〜６３のロックを解除させて、給気レジスタ６１のみを閉状態とさせる。これにより、給気レジスタ６０〜６３の状態が、図５に示される初期状態になる。
【００７１】
さらに、制御部１０は、換気扇３及びレンジフード２の運転指示のいずれもがないときには（ステップＳ１及びステップＳ１０のＮＯ）、全ての給気レジスタ６０〜６３を閉状態とさせる（ステップＳ１１）。尚、このとき、給気レジスタ６０〜６３のロックは解除されたままである。
【００７２】
すると、居住空間Ｒにおける空気の流れ、及び、給気レジスタ６０〜６３の状態は、図６に示されるようになる。図６は、換気扇３及びレンジフード２のいずれも駆動されておらず、且つ、給気レジスタ６０〜６３の全てが閉状態とされた際の居住空間Ｒにおける空気の流れを示した図である。図６に示されるように、居住空間Ｒにおいて、換気扇３及びレンジフード２のいずれも駆動されていない際には、居住空間Ｒの空気圧が居住空間Ｒの外部の空気圧よりも低くなりにくいので、全ての給気レジスタ６０〜６３が閉状態とされている。
【００７３】
その後、制御部１０は、２４時間換気運転の指示があったか否かを判断する（ステップＳ１２）。例えば、制御部１０は、第２の運転指示状態検出部１２が、換気扇３の運転指示があったことを検出したか否かを判断する。制御部１０は、２４時間換気運転の指示があったときには（ステップＳ１２のＹＥＳ）、２４時間換気を開始させる（ステップＳ１３）。このとき、制御部１０は、換気扇３の運転指示操作があったことを表すフラグをセットする。その後、ステップＳ９に示される処理を行って、給気レジスタ６１のみを閉状態とさせる。これにより、居住空間Ｒにおける空気の流れが、図５の２点鎖線矢印及び実線矢印で示される流れになるとともに、給気レジスタ６０〜６３の状態が、図５に示される初期状態になる。
【符号の説明】
【００７４】
１    制御装置
２    レンジフード（第２の換気装置）
３    換気扇付き浴室暖房乾燥機（第１の換気装置）
６０〜６３    給気レジスタ
７１    連通孔
８０    ロック機構
６００    蓋
Ｒ    居住空間
Ｗ    壁面
【図１】
2011038719.tif 000003
【図２】
2011038719.tif 000004
【図３】
2011038719.tif 000005
【図４】
2011038719.tif 000006
【図５】
2011038719.tif 000007
【図６】
2011038719.tif 000008